(57)【要約】【課題】情報の種類にかかわらず、情報の出力を共存させることが可能な出力処理技術を提供する。【解決手段】出力処理装置は、情報を出力させる優先度に係るパラメータと、前記情報の出力領域に係るパラメータとを含む前記情報の出力要求を受け付ける受付部と、複数の前記情報の前記出力要求を受け付けた場合に、前記優先度に係る前記パラメータと、前記出力領域に係る前記パラメータと、に基づき、複数の前記情報それぞれの前記出力領域と、複数の前記情報それぞれの出力形態と、を調停する調停部と、を備える。【選択図】図１
2019096054.tif 000002
【特許請求の範囲】
【請求項１】
複数の出力領域に対する情報の出力要求を調停する出力処理装置において、
前記情報を出力させる優先度に係るパラメータと、前記情報の前記出力領域に係るパラメータとを含む前記情報の前記出力要求を受け付ける受付部と、
複数の前記情報の前記出力要求を受け付けた場合に、前記優先度に係る前記パラメータと、前記出力領域に係る前記パラメータと、に基づき、複数の前記情報それぞれの前記出力領域と、複数の前記情報それぞれの出力形態と、を調停する調停部と、
を備えることを特徴とする出力処理装置。
【請求項２】
前記調停部は、
複数の前記情報の前記出力領域が重複する場合に、前記情報それぞれの前記出力要求を実施する情報提供装置における前記情報それぞれの優先順位に基づいて前記出力領域を割り当て、前記情報それぞれの前記優先順位が同位である場合に、前記情報提供装置ごとの前記優先度に基づいて前記出力領域を割り当てることを特徴とする請求項１に記載の出力処理装置。
【請求項３】
複数の前記出力要求は、出力する前記情報が単数であって、
前記出力領域に係るパラメータは、複数の前記出力領域に対する候補順を含み、
前記調停部は、
複数の前記出力要求のうちの前記優先度が高い前記出力要求から順に、前記候補順の上位の前記出力領域を割り当て、前記出力領域が重複する場合に、前記優先度が低い前記出力要求に対して前記候補順の下位の前記出力領域を割り当てることを特徴とする請求項１に記載の出力処理装置。
【請求項４】
前記調停部は、
前記優先度が高い前記出力要求に係る出力が終了した場合に、前記優先度が低い前記出力要求に係る出力を、維持することを特徴とする請求項３に記載の出力処理装置。
【請求項５】
前記調停部は、
前記優先度が高い前記出力要求に係る出力が終了した場合に、前記優先度が低い前記出力要求に係る出力を、前記候補順の上位の前記出力領域に繰り上げることを特徴とする請求項３に記載の出力処理装置。
【請求項６】
前記調停部は、
前記優先度が高い前記出力要求に係る出力が終了した場合に、前記優先度が低い前記出力要求に係る出力に、前記候補順の上位の前記出力領域への出力を追加することを特徴とする請求項３に記載の出力処理装置。
【請求項７】
前記調停部は、
前記優先度が低い前記出力要求に係る前記候補順の上位の前記出力領域が、前記優先度が高い前記出力要求に割り当てられた前記出力領域と重複しない場合、前記優先度が低い前記出力要求に対して、前記優先度が低い当該出力要求に係る前記候補順の上位の前記出力領域を割り当てることを特徴とする請求項３に記載の出力処理装置。
【請求項８】
前記調停部は、
複数の前記情報の前記出力要求に対する調停後、複数の前記出力要求それぞれの前記候補順の残りの前記出力領域が他の前記出力要求に対して割り当てられていない場合、調停済の同じ前記情報を前記候補順に他の前記出力領域にも割り当てることを特徴とする請求項３〜請求項７のいずれかに記載の出力処理装置。
【請求項９】
複数の前記出力要求は、出力する前記情報が複数であって、
前記調停部は、
複数の前記出力要求のうちの前記優先度が高い前記出力要求から順に前記出力領域を割り当て、前記出力領域が重複する場合に、前記優先度が低い前記出力要求の、重複する前記出力領域への出力の禁止を決定することを特徴とする請求項１に記載の出力処理装置。
【請求項１０】
複数の前記出力要求は、出力する前記情報が複数であって、
前記調停部は、
複数の前記出力要求のうちの前記優先度が高い前記出力要求から順に前記出力領域を割り当て、前記出力領域が重複する場合に、前記優先度が低い前記出力要求の、すべての前記出力領域への出力の禁止を決定することを特徴とする請求項１に記載の出力処理装置。
【請求項１１】
前記調停部は、
前記優先度が高い前記出力要求に係る出力が終了した場合に、前記優先度が低い前記出力要求に係る出力を許可することを特徴とする請求項９または請求項１０に記載の出力処理装置。
【請求項１２】
前記出力領域の候補が、複数の出力装置ごとに少なくとも１箇所設けられることを特徴とする請求項１〜請求項１１のいずれかに記載の出力処理装置。
【請求項１３】
前記出力領域が、複数の出力装置ごとに複数設けられるとともに、複数の前記出力装置にわたる複数の前記出力領域すべてに対して個別に優先度が予め定義され、
前記調停部は、複数の前記出力要求のうちの前記優先度が高い前記出力要求から順に、前記優先度が高い前記出力領域を割り当てることを特徴とする請求項１に記載の出力処理装置。
【請求項１４】
前記調停部は、
前記優先度が高い前記出力要求に係る出力が終了した場合に、前記優先度が低い前記出力要求に係る出力を、前記優先度の上位の前記出力領域に繰り上げることを特徴とする請求項１３に記載の出力処理装置。
【請求項１５】
複数の出力領域に対する情報の出力要求を調停する出力処理方法において、
前記情報を出力させる優先度に係るパラメータと、前記情報の前記出力領域に係るパラメータとを含む前記情報の前記出力要求を受け付ける工程と、
複数の前記情報の前記出力要求を受け付けた場合に、前記優先度に係る前記パラメータと、前記出力領域に係る前記パラメータと、に基づき、複数の前記情報それぞれの前記出力領域と、複数の前記情報それぞれの出力形態と、を調停する工程と、
を含むことを特徴とする出力処理方法。
【発明の詳細な説明】
【技術分野】
【０００１】
本発明は、出力処理装置及び出力処理方法に関する。
【背景技術】
【０００２】
表示装置等の出力装置に出力される情報に関して、複数の情報提供装置（アプリケーション）から受け付ける情報の出力要求を処理する出力処理装置が知られている。このような出力処理装置に係る従来技術の一例が特許文献１に開示されている。
【０００３】
特許文献１に記載された従来の映像音声制御装置は、複数種類の表示出力を車両に備えられた複数の映像表示手段に分配して行い、音声出力を車両に備えられた音声出力手段から行う。この映像音声制御装置は、複数が同時に動作する音声アプリケーションの間で、表示出力及び音声出力を排他的に行う。これにより、複数の音声アプリケーションによる複数の表示出力及び複数の音声出力がそれぞれ同時に車内に対して行われる状況が生じることを回避することができる。
【先行技術文献】
【特許文献】
【０００４】
【特許文献１】特開２０１３−１７１３１２号公報
【発明の概要】
【発明が解決しようとする課題】
【０００５】
しかしながら、特許文献１に記載の従来技術は、例えば２つの音声アプリケーションによる２つの表示出力が排他的に実施され、共存ができないことが課題であった。複数の情報提供装置（アプリケーション）から受け付ける情報によっては、共存、すなわち同時に出力されていることで、情報をより効果的にユーザに伝えることができる場合がある。このことが、上記従来技術では実現できない虞があることが懸念された。
【０００６】
本発明は、上記の課題に鑑みなされたものであり、情報をより効果的にユーザに伝えることが可能な出力処理技術を提供することを目的とする。
【課題を解決するための手段】
【０００７】
本発明に係る出力処理装置は、複数の出力領域に対する情報の出力要求を調停する出力処理装置において、前記情報を出力させる優先度に係るパラメータと、前記情報の前記出力領域に係るパラメータとを含む前記情報の前記出力要求を受け付ける受付部と、複数の前記情報の前記出力要求を受け付けた場合に、前記優先度に係る前記パラメータと、前記出力領域に係る前記パラメータと、に基づき、複数の前記情報それぞれの前記出力領域と、複数の前記情報それぞれの出力形態と、を調停する調停部と、を備える構成（第１の構成）である。
【０００８】
また、上記第１の構成の出力処理装置において、前記調停部は、複数の前記情報の前記出力領域が重複する場合に、前記情報それぞれの前記出力要求を実施する情報提供装置における前記情報それぞれの優先順位に基づいて前記出力領域を割り当て、前記情報それぞれの前記優先順位が同位である場合に、前記情報提供装置ごとの前記優先度に基づいて前記出力領域を割り当てる構成（第２の構成）であっても良い。
【０００９】
また、上記第１の構成の出力処理装置において、複数の前記出力要求は、出力する前記情報が単数であって、前記出力領域に係るパラメータは、複数の前記出力領域に対する候補順を含み、前記調停部は、複数の前記出力要求のうちの前記優先度が高い前記出力要求から順に、前記候補順の上位の前記出力領域を割り当て、前記出力領域が重複する場合に、前記優先度が低い前記出力要求に対して前記候補順の下位の前記出力領域を割り当てる構成（第３の構成）であっても良い。
【００１０】
また、上記第３の構成の出力処理装置において、前記調停部は、前記優先度が高い前記出力要求に係る出力が終了した場合に、前記優先度が低い前記出力要求に係る出力を、維持する構成（第４の構成）であっても良い。
【００１１】
また、上記第３の構成の出力処理装置において、前記調停部は、前記優先度が高い前記出力要求に係る出力が終了した場合に、前記優先度が低い前記出力要求に係る出力を、前記候補順の上位の前記出力領域に繰り上げる構成（第５の構成）であっても良い。
【００１２】
また、上記第３の構成の出力処理装置において、前記調停部は、前記優先度が高い前記出力要求に係る出力が終了した場合に、前記優先度が低い前記出力要求に係る出力に、前記候補順の上位の前記出力領域への出力を追加する構成（第６の構成）であっても良い。
【００１３】
また、上記第３の構成の出力処理装置において、前記調停部は、前記優先度が低い前記出力要求に係る前記候補順の上位の前記出力領域が、前記優先度が高い前記出力要求に割り当てられた前記出力領域と重複しない場合、前記優先度が低い前記出力要求に対して、前記優先度が低い当該出力要求に係る前記候補順の上位の前記出力領域を割り当てる構成（第７の構成）であっても良い。
【００１４】
また、上記第３〜第７の構成の出力処理装置において、前記調停部は、複数の前記情報の前記出力要求に対する調停後、複数の前記出力要求それぞれの前記候補順の残りの前記出力領域が他の前記出力要求に対して割り当てられていない場合、調停済の同じ前記情報を前記候補順に他の前記出力領域にも割り当てる構成（第８の構成）であっても良い。
【００１５】
また、上記第１の構成の出力処理装置において、複数の前記出力要求は、出力する前記情報が複数であって、前記調停部は、複数の前記出力要求のうちの前記優先度が高い前記出力要求から順に前記出力領域を割り当て、前記出力領域が重複する場合に、前記優先度が低い前記出力要求の、重複する前記出力領域への出力の禁止を決定する構成（第９の構成）であっても良い。
【００１６】
また、上記第１の構成の出力処理装置において、複数の前記出力要求は、出力する前記情報が複数であって、前記調停部は、複数の前記出力要求のうちの前記優先度が高い前記出力要求から順に前記出力領域を割り当て、前記出力領域が重複する場合に、前記優先度が低い前記出力要求の、すべての前記出力領域への出力の禁止を決定する構成（第１０の構成）であっても良い。
【００１７】
また、上記第９または第１０の構成の出力処理装置において、前記調停部は、前記優先度が高い前記出力要求に係る出力が終了した場合に、前記優先度が低い前記出力要求に係る出力を許可する構成（第１１の構成）であっても良い。
【００１８】
また、上記第１〜第１１の構成の出力処理装置において、前記出力領域の候補が、複数の出力装置ごとに少なくとも１箇所設けられる構成（第１２の構成）であっても良い。
【００１９】
また、上記第１の構成の出力処理装置において、前記出力領域が、複数の出力装置ごとに複数設けられるとともに、複数の前記出力装置にわたる複数の前記出力領域すべてに対して個別に優先度が予め定義され、前記調停部は、複数の前記出力要求のうちの前記優先度が高い前記出力要求から順に、前記優先度が高い前記出力領域を割り当てる構成（第１３の構成）であっても良い。
【００２０】
また、上記第１３の構成の出力処理装置において、前記調停部は、前記優先度が高い前記出力要求に係る出力が終了した場合に、前記優先度が低い前記出力要求に係る出力を、前記優先度の上位の前記出力領域に繰り上げる構成（第１４の構成）であっても良い。
【００２１】
また、本発明に係る出力処理方法は、複数の出力領域に対する情報の出力要求を調停する出力処理方法において、前記情報を出力させる優先度に係るパラメータと、前記情報の前記出力領域に係るパラメータとを含む前記情報の前記出力要求を受け付ける工程と、複数の前記情報の前記出力要求を受け付けた場合に、前記優先度に係る前記パラメータと、前記出力領域に係る前記パラメータと、に基づき、複数の前記情報それぞれの前記出力領域と、複数の前記情報それぞれの出力形態と、を調停する工程と、を含む構成（第１５の構成）である。
【発明の効果】
【００２２】
本発明の構成によれば、複数の情報の出力要求を受け付けた場合に、情報の出力の優先度及び出力領域に関して調停を実施し、その結果として情報の出力が可能な出力領域を得ることができる。したがって、情報をより効果的にユーザに伝えることが可能である。
【図面の簡単な説明】
【００２３】
【図１】実施形態に係る出力処理システムの概略構成を示す図
【図２】出力処理システムが搭載される車室内部を示す部分概略図
【図３】出力処理システムの出力装置の概略構成を示す図
【図４】出力処理装置の動作例を示すフローチャート
【図５】実施例１の調停処理の説明図
【図６】実施例１の重複解消後の説明図（第１例）
【図７】実施例１の重複解消後の説明図（第２例）
【図８】実施例１の重複解消後の説明図（第３例）
【図９】実施例２の調停処理の説明図
【図１０】実施例２の重複解消後の説明図（第１例）
【図１１】実施例２の重複解消後の説明図（第２例）
【図１２】実施例３の調停処理の説明図
【図１３】実施例４の調停処理の説明図（第１例）
【図１４】実施例４の調停処理の説明図（第２例）
【図１５】実施例５の調停処理の説明図
【図１６】実施例５の出力の推移の説明図（１）
【図１７】実施例５の出力の推移の説明図（２）
【図１８】実施例５の出力の推移の説明図（３）
【図１９】実施例５の出力の推移の説明図（４）
【図２０】実施例５の出力の推移の説明図（５）
【発明を実施するための形態】
【００２４】
以下、本発明の例示的な実施形態について、図面を参照しながら詳細に説明する。なお、本発明は以下の内容に限定されるものではない。
【００２５】
＜１．出力処理システムの構成＞
図１は、実施形態に係る出力処理システム１００の概略構成を示す図である。図２は、出力処理システム１００が搭載される車室内部を示す部分概略図である。図３は、出力処理システム１００の出力装置の概略構成を示す図である。出力処理システム１００は、例えば図２に示す自動車などの車両に搭載される。
【００２６】
出力処理システム１００は、出力処理装置１と、車載装置Ｓａ、Ｓｂ、Ｓｃと、センターディスプレイＤ１と、メーターディスプレイＤ２と、ヘッドアップディスプレイ（ＨＵＤ：Head-Up Display）Ｄ３と、を備える。なお、以下の説明において、特に区別する必要がある場合を除いて、車載装置Ｓａ、Ｓｂ、Ｓｃを総じて「車載装置Ｓ」と称することがあり、センターディスプレイＤ１、メーターディスプレイＤ２、ヘッドアップディスプレイＤ３を総じて「出力装置Ｄ」と称することがある。
【００２７】
車載装置Ｓａ、Ｓｂ、Ｓｃは、例えばカーナビゲーション装置やオーディオ装置、テレビ装置、カメラ装置、車両制御ＥＣＵ（Electronic Control Unit）、車車間通信装置、路車間通信装置、交通情報受信装置等である。車載装置Ｓは、例えばユーザの操作や状況に応じて、センターディスプレイＤ１等の出力装置Ｄに対して出力する情報（画像）の出力要求を出力処理装置１に対して実施する情報提供装置である。
【００２８】
カーナビゲーション装置は、例えば目的地が設定された場合に、目的地までの経路を示す画像の出力要求を出力処理装置１に対して実施する。そして、カーナビゲーション装置は、例えば目的地までの経路の途中で分岐点に差し掛かった場合に、進行方向を示す画像の出力要求を出力処理装置１に対して実施する。
【００２９】
オーディオ装置及びテレビ装置は、例えば外部から受信した画像やユーザによる選曲、選局、音量調整等の操作に応じて、それらの操作に係る画像の出力要求を出力処理装置１に対して実施する。カメラ装置は、例えば自車両の前方、後方及び側方を撮像し、撮像した画像の出力要求を出力処理装置１に対して実施する。
【００３０】
車両制御ＥＣＵは、例えば運転者による運転操作に従って車両の向きや速度等を制御し、車両の制御状況に応じて、その状況に係る情報の出力要求を出力処理装置１に対して実施する。
【００３１】
車車間通信装置及び路車間通信装置は、例えば自車両の周辺を走行する他車両や歩行者の存在、信号の状態等の状況に応じて、それらの状況に係る情報の出力要求を出力処理装置１に対して実施する。交通情報受信装置は、例えば自車両の周辺の渋滞や事故等の状況に応じて、それらの状況に係る情報の出力要求を出力処理装置１に対して実施する。
【００３２】
車載装置Ｓが出力処理装置１に対して送信する情報の出力要求は、出力装置Ｄに対して情報を出力させる優先度に係るパラメータと、情報の出力領域に係るパラメータと、を含む。
【００３３】
情報を出力させる優先度に係るパラメータに関して、情報の優先度は、情報提供装置である車載装置Ｓごとに個別に予め定められる。例えば、車両制御ＥＣＵや車車間通信装置、路車間通信装置、交通情報受信装置等といった車載装置Ｓの優先度は、カーナビゲーション装置やオーディオ装置、テレビ装置等といった車載装置Ｓの優先度よりも高い。
【００３４】
情報の出力領域に係るパラメータに関して、情報の出力装置Ｄは、例えば図１〜図３に示すセンターディスプレイＤ１と、メーターディスプレイＤ２と、ヘッドアップディスプレイＤ３とで構成される。
【００３５】
センターディスプレイＤ１は車両の運転席と助手席との間に配置される。センターディスプレイＤ１はカーナビゲーション装置の表示装置を用いても良いし、ダッシュボードの上部等に別途設置する構成の表示装置であっても良い。センターディスプレイＤ１は、例えばカーナビゲーション装置の表示装置である場合、主として自車両の周辺の地図情報や目的地までの経路、交差点案内等に係る画像を表示する。このようにして、センターディスプレイＤ１は車載装置Ｓが要求する情報の出力に用いられる。
【００３６】
メーターディスプレイＤ２はダッシュボードの計器盤に配置される。メーターディスプレイＤ２は、例えば図３に示すスピードメーターＤ２４、タコメーターＤ２５に加えて、図示しないオドメーター、水温計、燃料計等を備える。スピードメーターＤ２４の中央部には円形の第１表示部Ｄ２１が設けられる。タコメーターＤ２５の中央部には円形の第２表示部Ｄ２２が設けられる。スピードメーターＤ２４とタコメーターＤ２５との間には矩形の第３表示部Ｄ２３が設けられる。
【００３７】
第１表示部Ｄ２１は、例えば自車両の周辺店舗への立ち寄り提案等に係る画像を表示する。第２表示部Ｄ２２は、例えば交差点案内等に係る画像を表示する。第３表示部Ｄ２３は、例えば自車両の前方の信号情報（赤信号警告）や自車両の周辺の地図情報等に係る画像を表示する。このようにして、メーターディスプレイＤ２では第１表示部Ｄ２１、第２表示部Ｄ２２及び第３表示部Ｄ２３が、車載装置Ｓが要求する情報の出力に用いられる。
【００３８】
ヘッドアップディスプレイＤ３は、例えば車両のフロントガラスの、運転席の前方下部の所定領域に配置される。ヘッドアップディスプレイＤ３はフロントガラスの運転に支障が生じない領域に結像することで、情報の画像を表示する。ヘッドアップディスプレイＤ３は、例えば自車両の前方の信号情報（赤信号警告）や現在の走行速度等に係る画像を表示する。このようにして、ヘッドアップディスプレイＤ３は車載装置Ｓが要求する情報の出力に用いられる。
【００３９】
センターディスプレイＤ１と、メーターディスプレイＤ２の第１表示部Ｄ２１、第２表示部Ｄ２２及び第３表示部Ｄ２３と、ヘッドアップディスプレイＤ３とはそれぞれ、情報の出力領域を、画面の全体領域に対して小領域の出力領域に区分することができる。車載装置Ｓはこれらの出力装置Ｄの画面に対する情報の出力領域の大きさ、形状を適宜任意に決定することができ、情報の出力要求に、情報の出力領域に係るパラメータとして含める。なお、情報の出力領域は出力装置Ｄそれぞれの画面の全体としても良い。
【００４０】
出力処理装置１は、図１に示す制御部１０及び記憶部２０を備える。なお、出力処理装置１は、図示しない通信部を介して、車載装置Ｓａ、Ｓｂ、Ｓｃと、センターディスプレイＤ１、メーターディスプレイＤ２及びヘッドアップディスプレイＤ３と、に通信可能に接続される。
【００４１】
制御部１０は、図示しないＣＰＵ（Central Processing Unit）、ＲＡＭ（Random Access Memory）、ＲＯＭ（Read Only Memory）を備えるコンピュータである。制御部１０は記憶部２０に記憶された出力処理プログラム２１に基づいてＣＰＵが演算処理を行い、出力処理装置１の全体を統括的に制御する。
【００４２】
制御部１０は出力処理プログラム２１に基づいてＣＰＵが演算処理を行うことで実現される機能の一部として、受付部１１、調停部１２及び通知部１３を備える。
【００４３】
受付部１１は車載装置Ｓから出力装置Ｄに対する情報の出力要求を受け付ける。車載装置Ｓａ、Ｓｂ、Ｓｃが出力処理装置１に対して送信する情報の出力要求には、前述のように情報を出力させる優先度に係るパラメータと、情報の出力領域に係るパラメータと、が含まれる。受付部１１が受け付けた情報の出力要求は調停部１２に入力される。
【００４４】
調停部１２は、例えば出力装置Ｄが情報を出力していないときに、車載装置Ｓのいずれかから出力要求を受け付けた場合、当該出力要求のパラメータに含まれる優先度を記憶部２０に記憶させ、当該出力要求のパラメータに含まれる出力領域に対する出力許可を出す。なお、この調停部１２の処理結果は通知部１３を介して車載装置Ｓに送信される。
【００４５】
一方、調停部１２は、例えば出力装置Ｄが情報を出力しているときに、車載装置Ｓのいずれかから他の出力要求を受け付けた場合、すなわち複数の情報の出力要求を受け付けた場合、それらの出力要求に係る調停を実施する。詳細には、それらの複数の情報の出力要求に関して、調停部１２は、情報を出力させる優先度に係るパラメータと、情報の出力領域に係るパラメータと、に基づき、複数の情報それぞれの出力領域と、複数の情報それぞれの出力形態と、を調停する。出力形態としては、例えば情報を出力する場合に対して、情報を出力しない場合が含まれる。
【００４６】
調停部１２は出力中の情報の優先度と、新たな出力要求の情報の優先度と、に基づいて、出力中の情報を継続して出力させるか、それに代えて新たな出力要求の情報を出力させるかを調停する。すなわち、互いの優先度を比較し、優先度が低い情報よりも、優先度が高い情報の出力を優先させる。さらに、調停部１２は優先度が高い情報の出力領域と、優先度が低い情報の出力領域と、に基づいて、それぞれの情報をいずれの出力領域に出力させるかを調停する。さらに詳細な調停処理については、実施例として後述する。調停結果は通知部１３を介して車載装置Ｓに送信される。
【００４７】
通知部１３は調停部１２による調停結果を出力要求の送信元である車載装置Ｓａ、Ｓｂ、Ｓｃに対して通知する。なお、この通知は通信部を介して車載装置Ｓａ、Ｓｂ、Ｓｃに送信される。調停結果には、情報が出力可能な出力領域を示すパラメータが含まれる。通知を受けた車載装置Ｓａ、Ｓｂ、Ｓｃは、調停結果に基づいて指定された出力領域に対して情報を出力する処理を実施する。
【００４８】
＜２．出力処理装置の動作＞
次に、出力処理装置１の動作について説明する。図４は、出力処理装置１の動作例を示すフローチャートである。
【００４９】
出力処理装置１が動作を開始すると、まず、受付部１１が情報の出力要求を受け付ける受付処理を実施する（ステップＳ１０１）。受付部１１は車載装置Ｓから出力装置Ｄに対する情報の出力要求を受け付ける。情報の出力要求には、情報を出力させる優先度に係るパラメータと、情報の出力領域に係るパラメータと、が含まれる。
【００５０】
次に、調停部１２が情報の出力要求に対して調停処理を実施する（ステップＳ１０２）。なお、複数の出力要求を受け付けた場合に、調停部１２は調停処理を実施する。調停部１２は優先度に係るパラメータに基づき出力の優先度を調停し、さらに出力領域に係るパラメータに基づき出力領域を調停する。重複しない状況で出力要求を受け付けた場合、調停部１２は当該出力要求に含まれる優先度を記憶部２０に記憶させ、当該出力要求に含まれる出力領域に対する出力許可を出す。調停部１２は調停結果を通知部１３に対して出力する。
【００５１】
次に、通知部１３が調停結果を通知する通知処理を実施する（ステップＳ１０３）。通知部１３は調停部１２による調停結果を出力要求の送信元である車載装置Ｓａ、Ｓｂ、Ｓｃに対して通知する。調停結果には情報が出力可能な出力領域を示すパラメータが含まれる。
【００５２】
そして、出力処理装置１は、図４に示すフロー動作を終了する。このようにして、出力処理装置１は複数の出力領域に対する情報の出力要求を調停する。
【００５３】
上記実施形態の構成によれば、出力処理装置１は複数の情報の出力要求を受け付けた場合に、情報の出力の優先度及び出力領域に関して調停を実施し、その結果として情報の出力可能な出力領域を得ることができる。したがって、出力処理装置１は情報をより効果的にユーザに伝えることが可能である。
【実施例１】
【００５４】
＜３−１．調停処理の実施例１＞
続いて、出力処理装置１による調停処理の実施例１について説明する。図５は、実施例１の調停処理の説明図である。図６、図７及び図８は、実施例１の重複解消後の説明図（第１例、第２例及び第３例）である。ここでは、車載装置Ｓａ、Ｓｂそれぞれが出力処理装置１に対して送信する情報の出力要求Ｒａ、Ｒｂが重複した場合について説明する。
【００５５】
車載装置Ｓａ、Ｓｂの情報の出力要求Ｒａ、Ｒｂは、出力装置Ｄに対して情報を出力させる優先度に係るパラメータと、情報の出力領域に係るパラメータとを含む。優先度に係るパラメータに関して、車載装置Ｓａの優先度は車載装置Ｓｂの優先度よりも高く、車載装置Ｓｂの優先度は車載装置Ｓａの優先度よりも低い。
【００５６】
情報の出力領域に係るパラメータに関して、車載装置Ｓａ、Ｓｂの情報の出力要求Ｒａ、Ｒｂは出力する情報が単数であって、それぞれが１箇所の出力領域を希望する。また、車載装置Ｓａ、Ｓｂの情報の出力要求Ｒａ、Ｒｂは、情報の出力領域に係るパラメータが出力装置Ｄの複数の出力領域に対する候補順を含む。なお、候補順とは、情報の出力を希望する出力領域の候補の順番を意味する。ここでは、出力領域の候補が、例えば出力装置Ｄの１画面ごとに１箇所である。例えば、出力要求Ｒａの出力領域の第１候補Ｋａ１、第２候補Ｋａ２、第３候補Ｋａ３の場合、数字の小さい順に優先順位が高い。これは、出力要求Ｒｂ等、他の出力要求についても同様であり、以下の実施例においても同様である。
【００５７】
車載装置Ｓａの情報の出力要求Ｒａは、図５に示す３箇所の出力領域の第１候補Ｋａ１、第２候補Ｋａ２、第３候補Ｋａ３を含む。第１候補Ｋａ１はヘッドアップディスプレイＤ３の出力領域の左側上部に配置され、所定範囲の矩形領域で構成される。第２候補Ｋａ２はメーターディスプレイＤ２の第２表示部Ｄ２２の出力領域の全域である。第３候補Ｋａ３はセンターディスプレイＤ１の出力領域の右半分の矩形領域である。
【００５８】
車載装置Ｓｂの情報の出力要求Ｒｂは、図５に示す３箇所の出力領域の第１候補Ｋｂ１、第２候補Ｋｂ２、第３候補Ｋｂ３を含む。第１候補Ｋｂ１はヘッドアップディスプレイＤ３の出力領域の左側上部に配置され、所定範囲の矩形領域で構成される。第２候補Ｋｂ２はメーターディスプレイＤ２の第１表示部Ｄ２１の出力領域の全域である。第３候補Ｋｂ３はセンターディスプレイＤ１の出力領域の右側上部に配置され、所定範囲の矩形領域で構成される。
【００５９】
これらのような車載装置Ｓａ、Ｓｂの情報の出力要求Ｒａ、Ｒｂを受け付けた場合に、調停部１２は出力要求Ｒａ、Ｒｂに係る調停を実施する。
【００６０】
調停部１２は、まず、優先度に係るパラメータに基づき出力の優先度を調停する。本実施例の場合、優先度がより高い出力要求Ｒａが出力要求Ｒｂよりも優先される。これにより、調停部１２は出力要求Ｒａに対して情報の出力領域の第１候補Ｋａ１を割り当てる。この調停結果は通知部１３を介して車載装置Ｓａに送信される。通知を受けた車載装置Ｓａは、図５の＜調停結果＞として示すように、調停結果に基づいて指定された出力領域である第１候補Ｋａ１に対して情報を出力する処理を実施する。
【００６１】
続いて、調停部１２は出力領域に係るパラメータに基づき出力領域を調停する。出力要求Ｒｂの情報の出力領域の第１候補Ｋｂ１は、既に確定された出力要求Ｒａの情報の出力領域の第１候補Ｋａ１と重複する。これにより、調停部１２は出力要求Ｒｂに対して情報の出力領域の第２候補Ｋｂ２を割り当てる。この調停結果は通知部１３を介して車載装置Ｓｂに送信される。通知を受けた車載装置Ｓｂは、図５の＜調停結果＞として示すように、調停結果に基づいて指定された出力領域である第２候補Ｋｂ２に対して情報を出力する処理を実施する。
【００６２】
なお、出力領域の候補が重複するか否かの判断は、上記のように出力領域単位で判断しても良いし、出力装置単位で判断しても良い。
【００６３】
このようにして、実施例１では、重複する２つの出力要求Ｒａ、Ｒｂは出力する情報が単数であって、出力領域に係るパラメータが出力装置Ｄの複数の出力領域に対する候補順を含む。そして、調停部１２は、２つの出力要求Ｒａ、Ｒｂのうちの優先度が高い出力要求Ｒａから順に、候補順の上位の出力領域の第１候補Ｋａ１を割り当て、出力領域が重複する場合に、優先度が低い出力要求Ｒｂに対して候補順の下位の出力領域の第２候補Ｋｂ２を割り当てる。この構成によれば、出力処理装置１は情報をより効果的にユーザに伝えることが可能である。
【００６４】
そして、優先度が高い出力要求Ｒａに係る出力が終了した場合の第１例として、調停部１２は、図６に示すように、優先度が低い出力要求Ｒｂに係る出力を維持させる。すなわち、ヘッドアップディスプレイＤ３の、出力要求Ｒａの出力領域の第１候補Ｋａ１における情報の出力が終了して消えた後、メーターディスプレイＤ２の第１表示部Ｄ２１の、出力要求Ｒｂの出力領域の第２候補Ｋｂ２における情報の出力を維持させる。これにより、ユーザは出力要求Ｒｂの情報が継続して第１表示部Ｄ２１に存在することを認識することが可能である。
【００６５】
また、優先度が高い出力要求Ｒａに係る出力が終了した場合の第２例として、調停部１２は、図７に示すように、優先度が低い出力要求Ｒｂに係る出力を候補順の上位の出力領域である第１候補Ｋｂ１に繰り上げさせる。すなわち、ヘッドアップディスプレイＤ３の、出力要求Ｒａの出力領域の第１候補Ｋａ１における情報の出力が終了して消えた後、メーターディスプレイＤ２の第１表示部Ｄ２１の、出力要求Ｒｂの出力領域の第２候補Ｋｂ２における情報の出力を、ヘッドアップディスプレイＤ３の、出力要求Ｒｂの出力領域の第１候補Ｋｂ１における情報の出力に変更させる。これにより、出力要求Ｒｂの情報が、出力要求Ｒｂが本来第１に希望する出力領域で出力されるようになるので、出力要求Ｒｂが意図する情報の出力を実施することが可能になる。したがって、出力要求Ｒｂの情報をより効果的にユーザに伝えることができる。
【００６６】
また、優先度が高い出力要求Ｒａに係る出力が終了した場合の第３例として、調停部１２は、図８に示すように、優先度が低い出力要求Ｒｂに係る出力に、候補順の上位の出力領域である第１候補Ｋｂ１への出力を追加させる。すなわち、ヘッドアップディスプレイＤ３の、出力要求Ｒａの出力領域の第１候補Ｋａ１における情報の出力が終了して消えた後、メーターディスプレイＤ２の第１表示部Ｄ２１の、出力要求Ｒｂの出力領域の第２候補Ｋｂ２における情報の出力に加えて、ヘッドアップディスプレイＤ３の、出力要求Ｒｂの出力領域の第１候補Ｋｂ１における情報の出力を追加させる。これにより、ユーザは出力要求Ｒｂの情報が継続して第１表示部Ｄ２１に存在することを認識することが可能である。さらにこれに加えて、出力要求Ｒｂが意図する情報の出力を実施することが可能になる。
【００６７】
出力要求はユーザが認識し易い領域を第１候補とすることから、異なる出力装置Ｄの画面に出力要求Ｒａ、Ｒｂが共存する場合、優先度が高い出力要求Ｒａに係る出力が終了した重複解消後は、図８に示す第３例の構成とすることが好ましい。
【００６８】
また、優先度が高い出力要求Ｒａよりも先に、優先度が低い出力要求Ｒｂを受け付けた場合、調停部１２は出力要求Ｒｂに対して情報の出力領域の第１候補Ｋｂ１を割り当てる。すなわち、出力要求Ｒｂの情報の出力は図７に示す状態となる。この後、優先度がより高い出力要求Ｒａを受け付けると、調停部１２は上記の通りの調停を実施し、出力要求Ｒａ、Ｒｂの情報の出力は図５の＜調停結果＞に示す状態となる。
【実施例２】
【００６９】
＜３−２．調停処理の実施例２＞
続いて、出力処理装置１による調停処理の実施例２について説明する。図９は、実施例２の調停処理の説明図である。図１０及び図１１は、実施例２の重複解消後の説明図（第１例及び第２例）である。ここでは、車載装置Ｓａ、Ｓｂそれぞれが出力処理装置１に対して送信する情報の出力要求Ｒａ、Ｒｂが重複した場合について説明する。
【００７０】
車載装置Ｓａ、Ｓｂの情報の出力要求Ｒａ、Ｒｂは、出力装置Ｄに対して情報を出力させる優先度に係るパラメータと、情報の出力領域に係るパラメータとを含む。優先度に係るパラメータに関して、車載装置Ｓａの優先度は車載装置Ｓｂの優先度よりも高く、車載装置Ｓｂの優先度は車載装置Ｓａの優先度よりも低い。
【００７１】
情報の出力領域に係るパラメータに関して、車載装置Ｓａ、Ｓｂの情報の出力要求Ｒａ、Ｒｂは出力する情報が単数であって、それぞれが１箇所の出力領域を希望する。また、車載装置Ｓａ、Ｓｂの情報の出力要求Ｒａ、Ｒｂは、情報の出力領域に係るパラメータが出力装置Ｄの複数の出力領域に対する候補順を含む。ここでは、出力領域の候補が、例えば出力装置Ｄの１画面ごとに少なくとも１箇所設けられ、１画面ごとに複数が設けられる場合もある。
【００７２】
車載装置Ｓａの情報の出力要求Ｒａは、図９に示す４箇所の出力領域の第１候補Ｋａ１、第２候補Ｋａ２、第３候補Ｋａ３、第４候補Ｋａ４を含む。第１候補Ｋａ１はヘッドアップディスプレイＤ３の出力領域の左側上部に配置され、所定範囲の矩形領域で構成される。第２候補Ｋａ２はメーターディスプレイＤ２の第２表示部Ｄ２２の出力領域の全域である。第３候補Ｋａ３はメーターディスプレイＤ２の第１表示部Ｄ２１の出力領域の全域である。第４候補Ｋａ４はセンターディスプレイＤ１の出力領域の右半分の矩形領域である。
【００７３】
車載装置Ｓｂの情報の出力要求Ｒｂは、図９に示す５箇所の出力領域の第１候補Ｋｂ１、第２候補Ｋｂ２、第３候補Ｋｂ３、第４候補Ｋｂ４、第５候補Ｋｂ５を含む。第１候補Ｋｂ１はヘッドアップディスプレイＤ３の出力領域の左側上部に配置され、所定範囲の矩形領域で構成される。第２候補Ｋｂ２はヘッドアップディスプレイＤ３の出力領域の右側上部に配置され、所定範囲の矩形領域で構成される。第３候補Ｋｂ３はメーターディスプレイＤ２の第１表示部Ｄ２１の出力領域の全域である。第４候補Ｋｂ４はセンターディスプレイＤ１の出力領域の右側上部に配置され、所定範囲の矩形領域で構成される。第５候補Ｋｂ５はメーターディスプレイＤ２の第２表示部Ｄ２２の出力領域の全域である。
【００７４】
これらのような車載装置Ｓａ、Ｓｂの情報の出力要求Ｒａ、Ｒｂを受け付けた場合に、調停部１２は出力要求Ｒａ、Ｒｂに係る調停を実施する。
【００７５】
調停部１２は、まず、優先度に係るパラメータに基づき出力の優先度を調停する。本実施例の場合、優先度がより高い出力要求Ｒａが出力要求Ｒｂよりも優先される。これにより、調停部１２は出力要求Ｒａに対して情報の出力領域の第１候補Ｋａ１を割り当てる。この調停結果は通知部１３を介して車載装置Ｓａに送信される。通知を受けた車載装置Ｓａは、図９の＜調停結果＞として示すように、調停結果に基づいて指定された出力領域である第１候補Ｋａ１に対して情報を出力する処理を実施する。
【００７６】
続いて、調停部１２は出力領域に係るパラメータに基づき出力領域を調停する。出力要求Ｒｂの情報の出力領域の第１候補Ｋｂ１は、既に確定された出力要求Ｒａの情報の出力領域の第１候補Ｋａ１と重複する。これにより、調停部１２は出力要求Ｒｂに対して情報の出力領域の第２候補Ｋｂ２を割り当てる。この調停結果は通知部１３を介して車載装置Ｓｂに送信される。通知を受けた車載装置Ｓｂは、図９の＜調停結果＞として示すように、調停結果に基づいて指定された出力領域である第２候補Ｋｂ２に対して情報を出力する処理を実施する。
【００７７】
このようにして、実施例２では、出力領域の候補が出力装置Ｄの１画面ごとに少なくとも１箇所設けられ、１画面ごとに複数が設けられる場合もある。この構成によれば、出力領域の候補が出力装置Ｄの１画面ごとに複数が設けられる場合であっても、出力処理装置１は情報をより効果的にユーザに伝えることが可能である。
【００７８】
そして、優先度が高い出力要求Ｒａに係る出力が終了した場合の第１例として、調停部１２は、図１０に示すように、優先度が低い出力要求Ｒｂに係る出力を維持させる。すなわち、ヘッドアップディスプレイＤ３の、出力要求Ｒａの出力領域の第１候補Ｋａ１における情報の出力が終了して消えた後、ヘッドアップディスプレイＤ３の、出力要求Ｒｂの出力領域の第２候補Ｋｂ２における情報の出力を維持させる。これにより、ユーザは出力要求Ｒｂの情報が継続してヘッドアップディスプレイＤ３に存在することを認識することが可能である。
【００７９】
また、優先度が高い出力要求Ｒａに係る出力が終了した場合の第２例として、調停部１２は、図１１に示すように、優先度が低い出力要求Ｒｂに係る出力を候補順の上位の出力領域である第１候補Ｋｂ１に繰り上げさせる。すなわち、ヘッドアップディスプレイＤ３の、出力要求Ｒａの出力領域の第１候補Ｋａ１における情報の出力が終了して消えた後、ヘッドアップディスプレイＤ３の、出力要求Ｒｂの出力領域の第２候補Ｋｂ２における情報の出力を、第１候補Ｋｂ１における情報の出力に変更させる。これにより、出力要求Ｒｂの情報が、出力要求Ｒｂが本来第１に希望する出力領域で出力されるので、出力要求Ｒｂが意図する情報の出力を実施することが可能になる。したがって、出力要求Ｒｂの情報をより効果的にユーザに伝えることができる。
【００８０】
出力要求はユーザが認識し易い領域を第１候補とすることから、同一の出力装置Ｄの画面に出力要求Ｒａ、Ｒｂが共存する場合、優先度が高い出力要求Ｒａに係る出力が終了した重複解消後は、図１１に示す第２例の構成とすることが好ましい。また、異なる出力装置Ｄの画面に出力要求Ｒａ、Ｒｂが共存する場合、優先度が高い出力要求Ｒａに係る出力が終了した重複解消後は、実施例１の図８に示す第３例と同様に、出力要求Ｒｂの出力領域の第２候補Ｋｂ２における情報の出力に加えて、第１候補Ｋｂ１における情報の出力を追加させる。
【００８１】
また、優先度が高い出力要求Ｒａよりも先に、優先度が低い出力要求Ｒｂを受け付けた場合、調停部１２は出力要求Ｒｂに対して情報の出力領域の第１候補Ｋｂ１を割り当てる。すなわち、出力要求Ｒｂの情報の出力は図１１に示す状態となる。この後、優先度がより高い出力要求Ｒａを受け付けると、調停部１２は上記の通りの調停を実施し、出力要求Ｒａ、Ｒｂの情報の出力は図９の＜調停結果＞に示す状態となる。
【実施例３】
【００８２】
＜３−３．調停処理の実施例３＞
続いて、出力処理装置１による調停処理の実施例３について説明する。図１２は、実施例３の調停処理の説明図である。ここでは、車載装置Ｓａ、Ｓｂそれぞれが出力処理装置１に対して送信する情報の出力要求Ｒａ、Ｒｂが重複した場合について説明する。
【００８３】
車載装置Ｓａ、Ｓｂの情報の出力要求Ｒａ、Ｒｂは、出力装置Ｄに対して情報を出力させる優先度に係るパラメータと、情報の出力領域に係るパラメータとを含む。優先度に係るパラメータに関して、車載装置Ｓａの優先度は車載装置Ｓｂの優先度よりも高く、車載装置Ｓｂの優先度は車載装置Ｓａの優先度よりも低い。
【００８４】
情報の出力領域に係るパラメータに関して、車載装置Ｓａ、Ｓｂの情報の出力要求Ｒａ、Ｒｂは出力する情報が例えばそれぞれ３つであって、３箇所の出力領域を希望する。また、車載装置Ｓａ、Ｓｂの情報の出力要求Ｒａ、Ｒｂは、情報の出力領域に係るパラメータが出力装置Ｄの複数の出力領域に対する候補を含む。ここでは、出力領域の候補が、例えば出力装置Ｄの１画面ごとに１箇所である。
【００８５】
車載装置Ｓａの情報の出力要求Ｒａは、図１２に示す３箇所の出力領域の候補Ｋａ１、Ｋａ２、Ｋａ３を含む。候補Ｋａ１はヘッドアップディスプレイＤ３の出力領域の左側上部に配置され、所定範囲の矩形領域で構成される。候補Ｋａ２はメーターディスプレイＤ２の第１表示部Ｄ２１の出力領域の全域である。候補Ｋａ３はセンターディスプレイＤ１の出力領域の右半分の矩形領域である。
【００８６】
車載装置Ｓｂの情報の出力要求Ｒｂは、図１２に示す３箇所の出力領域の候補Ｋｂ１、Ｋｂ２、Ｋｂ３を含む。候補Ｋｂ１はヘッドアップディスプレイＤ３の出力領域の右側上部に配置され、所定範囲の矩形領域で構成される。候補Ｋｂ２はメーターディスプレイＤ２の第２表示部Ｄ２２の出力領域の全域である。候補Ｋｂ３はセンターディスプレイＤ１の出力領域の右側上部に配置され、所定範囲の矩形領域で構成される。
【００８７】
これらのような車載装置Ｓａ、Ｓｂの情報の出力要求Ｒａ、Ｒｂを受け付けた場合に、調停部１２は出力要求Ｒａ、Ｒｂに係る調停を実施する。
【００８８】
調停部１２は、まず、優先度に係るパラメータに基づき出力の優先度を調停する。本実施例の場合、優先度がより高い出力要求Ｒａが出力要求Ｒｂよりも優先される。これにより、調停部１２は出力要求Ｒａに対し、３つの情報の出力領域として候補Ｋａ１、Ｋａ２、Ｋａ３を割り当てる。この調停結果は通知部１３を介して車載装置Ｓａに送信される。通知を受けた車載装置Ｓａは、図１２の＜調停結果＞として示すように、調停結果に基づいて指定された出力領域である候補Ｋａ１、Ｋａ２、Ｋａ３それぞれに対して３つの情報を出力する処理を実施する。
【００８９】
続いて、調停部１２は出力領域に係るパラメータに基づき出力領域を調停する。出力要求Ｒｂの情報の出力領域の候補Ｋｂ１、Ｋｂ２は、既に確定された出力要求Ｒａの情報の出力領域と重複しない。これにより、調停部１２は出力要求Ｒｂに対し、２つの情報の出力領域として候補Ｋｂ１、Ｋｂ２を割り当てる。一方、出力要求Ｒｂの情報の出力領域の候補Ｋｂ３は、既に確定された出力要求Ｒａの情報の出力領域の候補Ｋａ３と重複する。これにより、調停部１２は出力要求Ｒｂの、重複する出力領域の候補Ｋｂ３への出力の禁止を決定する。この調停結果は通知部１３を介して車載装置Ｓｂに送信される。通知を受けた車載装置Ｓｂは、図１２の＜調停結果＞として示すように、調停結果に基づいて指定された出力領域である候補Ｋｂ１、Ｋｂ２それぞれに対して２つの情報を出力する処理を実施する。
【００９０】
このようにして、実施例３では、重複する２つの出力要求Ｒａ、Ｒｂは出力する情報が複数（例えば３つ）である。そして、調停部１２は、２つの出力要求Ｒａ、Ｒｂのうちの優先度が高い出力要求Ｒａから順に出力領域の候補Ｋａ１、Ｋａ２、Ｋａ３を割り当て、出力領域が重複する場合に、優先度が低い出力要求Ｒｂの、重複する出力領域の候補Ｋｂ３への出力の禁止を決定する。この構成によれば、出力処理装置１は情報をより効果的にユーザに伝えることが可能である。
【００９１】
そして、優先度が高い出力要求Ｒａに係る出力が終了した場合、調停部１２は優先度が低い出力要求Ｒｂに係る出力を許可する。すなわち、調停部１２は優先度が低い出力要求Ｒｂに係る出力に対し、３つの情報の出力領域として候補Ｋｂ１、Ｋｂ２、Ｋｂ３を割り当てる。これにより、出力要求Ｒｂの情報が、出力要求Ｒｂが本来希望する出力領域で出力されるので、出力要求Ｒｂが意図する情報の出力を実施することが可能になる。したがって、出力要求Ｒｂの情報をより効果的にユーザに伝えることができる。
【００９２】
また、優先度が高い出力要求Ｒａよりも先に、優先度が低い出力要求Ｒｂを受け付けた場合、調停部１２は出力要求Ｒｂに対して情報の出力領域の候補Ｋｂ１、Ｋｂ２、Ｋｂ３を割り当てる。この後、優先度がより高い出力要求Ｒａを受け付けると、調停部１２は上記の通りの調停を実施し、出力要求Ｒａ、Ｒｂの情報の出力は図１２の＜調停結果＞に示す状態となる。
【実施例４】
【００９３】
＜３−４．調停処理の実施例４＞
続いて、出力処理装置１による調停処理の実施例４について説明する。図１３及び図１４は、実施例４の調停処理の説明図（第１例及び第２例）である。
【００９４】
車載装置Ｓａ、Ｓｂの情報の出力要求Ｒａ、Ｒｂは、出力装置Ｄに対して情報を出力させる優先度に係るパラメータと、情報の出力領域に係るパラメータとを含む。優先度に係るパラメータに関して、車載装置Ｓａの優先度は車載装置Ｓｂの優先度よりも高く、車載装置Ｓｂの優先度は車載装置Ｓａの優先度よりも低い。
【００９５】
情報の出力領域に係るパラメータに関して、車載装置Ｓａ、Ｓｂの情報の出力要求Ｒａ、Ｒｂは出力する情報が例えばそれぞれ３つであって、それぞれが３箇所の出力領域を希望する。また、車載装置Ｓａ、Ｓｂの情報の出力要求Ｒａ、Ｒｂは、情報の出力領域に係るパラメータが出力装置Ｄの複数の出力領域に対する候補を含む。ここでは、出力領域の候補が、例えば出力装置Ｄの１画面ごとに１箇所である。
【００９６】
実施例４の第１例の、車載装置Ｓａの情報の出力要求Ｒａは、図１３に示す３箇所の出力領域の候補Ｋａ１、Ｋａ２、Ｋａ３を含む。候補Ｋａ１はヘッドアップディスプレイＤ３の出力領域の左側上部に配置され、所定範囲の矩形領域で構成される。候補Ｋａ２はメーターディスプレイＤ２の第１表示部Ｄ２１の出力領域の全域である。候補Ｋａ３はセンターディスプレイＤ１の出力領域の右半分の矩形領域である。
【００９７】
車載装置Ｓｂの情報の出力要求Ｒｂは、図１３に示す３箇所の出力領域の候補Ｋｂ１、Ｋｂ２、Ｋｂ３を含む。候補Ｋｂ１はヘッドアップディスプレイＤ３の出力領域の右側上部に配置され、所定範囲の矩形領域で構成される。候補Ｋｂ２はメーターディスプレイＤ２の第２表示部Ｄ２２の出力領域の全域である。候補Ｋｂ３はセンターディスプレイＤ１の出力領域の左側上部に配置され、所定範囲の矩形領域で構成される。
【００９８】
これらのような車載装置Ｓａ、Ｓｂの情報の出力要求Ｒａ、Ｒｂを受け付けた場合に、調停部１２は出力要求Ｒａ、Ｒｂに係る調停を実施する。
【００９９】
調停部１２は、まず、優先度に係るパラメータに基づき出力の優先度を調停する。本実施例の場合、優先度がより高い出力要求Ｒａが出力要求Ｒｂよりも優先される。これにより、調停部１２は出力要求Ｒａに対し、３つの情報の出力領域として候補Ｋａ１、Ｋａ２、Ｋａ３を割り当てる。この調停結果は通知部１３を介して車載装置Ｓａに送信される。通知を受けた車載装置Ｓａは、図１３の＜調停結果＞として示すように、調停結果に基づいて指定された出力領域である候補Ｋａ１、Ｋａ２、Ｋａ３それぞれに対して３つの情報を出力する処理を実施する。
【０１００】
続いて、調停部１２は出力領域に係るパラメータに基づき出力領域を調停する。出力要求Ｒｂの情報の出力領域の候補Ｋｂ１、Ｋｂ２、Ｋｂ３は、既に確定された出力要求Ｒａの情報の出力領域と重複しない。これにより、調停部１２は出力要求Ｒｂに対し、３つの情報の出力領域として候補Ｋｂ１、Ｋｂ２、Ｋｂ３を割り当てる。この調停結果は通知部１３を介して車載装置Ｓｂに送信される。通知を受けた車載装置Ｓｂは、図１３の＜調停結果＞として示すように、調停結果に基づいて指定された出力領域である候補Ｋｂ１、Ｋｂ２、Ｋｂ３それぞれに対して３つの情報を出力する処理を実施する。
【０１０１】
このようにして、実施例４の第１例では、２つの出力要求Ｒａ、Ｒｂは出力する情報が複数（例えば３つ）である。そして、出力要求Ｒａ、Ｒｂが重複しない場合、調停部１２は出力要求Ｒａに対し、３つの情報の出力領域として候補Ｋａ１、Ｋａ２、Ｋａ３を割り当て、出力要求Ｒｂに対し、３つの情報の出力領域として候補Ｋｂ１、Ｋｂ２、Ｋｂ３を割り当てる。
【０１０２】
実施例４の第２例の、車載装置Ｓａの情報の出力要求Ｒａは、図１４に示す３箇所の出力領域の候補Ｋａ１、Ｋａ２、Ｋａ３を含む。候補Ｋａ１はヘッドアップディスプレイＤ３の出力領域の左側上部に配置され、所定範囲の矩形領域で構成される。候補Ｋａ２はメーターディスプレイＤ２の第１表示部Ｄ２１の出力領域の全域である。候補Ｋａ３はセンターディスプレイＤ１の出力領域の右半分の矩形領域である。
【０１０３】
車載装置Ｓｂの情報の出力要求Ｒｂは、図１４に示す３箇所の出力領域の候補Ｋｂ１、Ｋｂ２、Ｋｂ３を含む。候補Ｋｂ１はヘッドアップディスプレイＤ３の出力領域の右側上部に配置され、所定範囲の矩形領域で構成される。候補Ｋｂ２はメーターディスプレイＤ２の第２表示部Ｄ２２の出力領域の全域である。候補Ｋｂ３はセンターディスプレイＤ１の出力領域の右側上部に配置され、所定範囲の矩形領域で構成される。
【０１０４】
これらのような車載装置Ｓａ、Ｓｂの情報の出力要求Ｒａ、Ｒｂを受け付けた場合に、調停部１２は出力要求Ｒａ、Ｒｂに係る調停を実施する。
【０１０５】
調停部１２は、まず、優先度に係るパラメータに基づき出力の優先度を調停する。本実施例の場合、優先度がより高い出力要求Ｒａが出力要求Ｒｂよりも優先される。これにより、調停部１２は出力要求Ｒａに対し、３つの情報の出力領域として候補Ｋａ１、Ｋａ２、Ｋａ３を割り当てる。この調停結果は通知部１３を介して車載装置Ｓａに送信される。通知を受けた車載装置Ｓａは、図１４の＜調停結果＞として示すように、調停結果に基づいて指定された出力領域である候補Ｋａ１、Ｋａ２、Ｋａ３それぞれに対して３つの情報を出力する処理を実施する。
【０１０６】
続いて、調停部１２は出力領域に係るパラメータに基づき出力領域を調停する。出力要求Ｒｂの情報の出力領域の候補Ｋｂ１、Ｋｂ２、Ｋｂ３に関して、候補Ｋｂ３が既に確定された出力要求Ｒａの情報の出力領域の候補Ｋａ３と重複する。これにより、調停部１２は出力要求Ｒｂの、すべての出力領域の候補Ｋｂ１、Ｋｂ２、Ｋｂ３への出力の禁止を決定する。この調停結果は通知部１３を介して車載装置Ｓｂに送信される。通知を受けた車載装置Ｓｂは、図１４の＜調停結果＞として示すように、出力要求Ｒｂに係る情報の出力を待機し、情報を出力しない。
【０１０７】
このようにして、実施例４の第２例では、重複する２つの出力要求Ｒａ、Ｒｂは出力する情報が複数（例えば３つ）である。そして、調停部１２は、２つの出力要求Ｒａ、Ｒｂのうちの優先度が高い出力要求Ｒａから順に出力領域の候補Ｋａ１、Ｋａ２、Ｋａ３を割り当て、出力領域が重複する場合に、優先度が低い出力要求Ｒｂの、すべての出力領域の候補Ｋｂ１、Ｋｂ２、Ｋｂ３への出力の禁止を決定する。この構成によれば、例えば出力要求Ｒｂの、互いに関連性が高い３つの情報が分断され、個別に出力装置Ｄに出力されることを抑制することが可能になる。
【０１０８】
そして、優先度が高い出力要求Ｒａに係る出力が終了した場合、調停部１２は優先度が低い出力要求Ｒｂに係る出力を許可する。すなわち、調停部１２は優先度が低い出力要求Ｒｂに係る出力に対し、３つの情報の出力領域として候補Ｋｂ１、Ｋｂ２、Ｋｂ３を割り当てる。これにより、例えば出力要求Ｒｂの、互いに関連性が高い３つの情報を、同じタイミングで出力装置Ｄに出力させることができる。そして、出力要求Ｒｂの情報が、出力要求Ｒｂが本来希望する出力領域で出力されるので、出力要求Ｒｂが意図する情報の出力を実施することが可能になる。したがって、出力要求Ｒｂの情報をより効果的にユーザに伝えることができる。
【０１０９】
また、優先度が高い出力要求Ｒａよりも先に、優先度が低い出力要求Ｒｂを受け付けた場合、調停部１２は出力要求Ｒｂに対して情報の出力領域の候補Ｋｂ１、Ｋｂ２、Ｋｂ３を割り当てる。この後、優先度がより高い出力要求Ｒａを受け付けると、調停部１２は上記の通りの調停を実施し、出力要求Ｒａ、Ｒｂの情報の出力は図１３及び図１４の＜調停結果＞に示す状態となる。
【実施例５】
【０１１０】
＜３−５．調停処理の実施例５＞
続いて、出力処理装置１による調停処理の実施例５について説明する。図１５は、実施例５の調停処理の説明図である。図１６〜図２０は、実施例５の出力の推移の説明図（１）〜（５）である。ここでは、車載装置Ｓａ、Ｓｂ、Ｓｃそれぞれが出力処理装置１に対して送信する情報の各出力要求が互いに重複した場合について説明する。
【０１１１】
車載装置Ｓの情報の各出力要求は、出力装置Ｄに対して情報を出力させる優先度に係るパラメータと、情報の出力領域に係るパラメータとを含む。優先度に係るパラメータに関して、車載装置Ｓａ、Ｓｂ、Ｓｃそれぞれの優先度は車載装置Ｓａ、Ｓｂ、Ｓｃの順に低くなる。すなわち、車載装置Ｓａの優先度は車載装置Ｓｂ、Ｓｃの優先度よりも高く、車載装置Ｓｂの優先度は車載装置Ｓｃの優先度よりも高い。情報の出力領域に係るパラメータに関して、車載装置Ｓａ、Ｓｂ、Ｓｃの情報の各出力要求は出力する情報が単数であって、それぞれが１箇所の出力領域を希望する。
【０１１２】
図１５に網掛け領域として示したように、出力領域は３台の出力装置Ｄごとに複数設けられる。さらに、３台の出力装置Ｄにわたる複数の出力領域すべてに対して個別に優先度が予め定義される。
【０１１３】
ヘッドアップディスプレイＤ３には、例えば車載装置Ｓの情報の各出力要求に関して、２つの出力領域が設けられる。１つは優先度第１位の出力領域Ｐｒ１であり、ヘッドアップディスプレイＤ３の出力領域の左側上部に配置され、所定範囲の矩形領域で構成される。また、１つは優先度第２位の出力領域Ｐｒ２であり、ヘッドアップディスプレイＤ３の出力領域の右側上部に配置され、所定範囲の矩形領域で構成される。
【０１１４】
メーターディスプレイＤ２には、例えば車載装置Ｓの情報の各出力要求に関して、３つの出力領域が設けられる。１つは優先度第３位の出力領域Ｐｒ３であり、メーターディスプレイＤ２の第３表示部Ｄ２３の出力領域の全域である。また、１つは優先度第４位の出力領域Ｐｒ４であり、メーターディスプレイＤ２の第１表示部Ｄ２１の出力領域の全域である。また、１つは優先度第５位の出力領域Ｐｒ５であり、メーターディスプレイＤ２の第２表示部Ｄ２２の出力領域の全域である。
【０１１５】
センターディスプレイＤ１には、例えば車載装置Ｓの情報の各出力要求に関して、２つの出力領域が設けられる。１つは優先度第６位の出力領域Ｐｒ６であり、センターディスプレイＤ１の出力領域の右半分の矩形領域である。また、１つは優先度第７位の出力領域Ｐｒ７であり、センターディスプレイＤ１の出力領域の左側上部に配置され、所定範囲の矩形領域で構成される。
【０１１６】
そして、車載装置Ｓａ、Ｓｂ、Ｓｃの情報の各出力要求を受け付けた場合に、調停部１２はこれらの出力要求に係る調停を実施する。
【０１１７】
調停部１２は、優先度に係るパラメータに基づき出力の優先度を調停し、さらに出力領域に係るパラメータに基づき出力領域を調停する。本実施例の場合、出力要求に係る優先度が最も高い車載装置Ｓａの出力要求が最初に優先される。調停部１２は車載装置Ｓａの出力要求の情報Ｋａに対して出力領域の優先度第１位の出力領域Ｐｒ１を割り当てる。この調停結果は通知部１３を介して車載装置Ｓａに送信される。通知を受けた車載装置Ｓａは、図１６に示すように、調停結果に基づいて指定された出力領域Ｐｒ１に対して情報Ｋａを出力する処理を実施する。
【０１１８】
続いて、出力要求に係る優先度が２番目に高い車載装置Ｓｂの出力要求が優先される。調停部１２は車載装置Ｓｂの出力要求の情報Ｋｂに対して出力領域の優先度第２位の出力領域Ｐｒ２を割り当てる。この調停結果は通知部１３を介して車載装置Ｓｂに送信される。通知を受けた車載装置Ｓｂは、図１７に示すように、調停結果に基づいて指定された出力領域Ｐｒ２に対して情報Ｋｂを出力する処理を実施する。
【０１１９】
続いて、出力要求に係る優先度が最も低い車載装置Ｓｃの出力要求が調停される。調停部１２は車載装置Ｓｃの出力要求の情報Ｋｃに対して出力領域の優先度第３位の出力領域Ｐｒ３を割り当てる。この調停結果は通知部１３を介して車載装置Ｓｃに送信される。通知を受けた車載装置Ｓｃは、図１８に示すように、調停結果に基づいて指定された出力領域Ｐｒ３に対して情報Ｋｃを出力する処理を実施する。
【０１２０】
このようにして、実施例５では、出力領域が複数の出力装置Ｄごとに複数設けられるとともに、複数の出力装置Ｄにわたる複数の出力領域Ｐｒ１〜Ｐｒ７すべてに対して個別に優先度が予め定義される。そして、調停部１２は、複数の出力要求のうちの優先度が高い出力要求から順に、優先度が高い出力領域を割り当てる。この構成によれば、出力処理装置１は情報をより効果的にユーザに伝えることが可能である。
【０１２１】
そして、優先度が高い出力要求に係る出力が終了した場合、調停部１２は、図１９及び図２０に示すように、優先度が低い出力要求に係る出力を、優先度の上位の出力領域に繰り上げる。
【０１２２】
すなわち、ヘッドアップディスプレイＤ３の、出力領域Ｐｒ１における車載装置Ｓａの出力要求の情報Ｋａの出力が終了して消えた後、出力領域Ｐｒ２における車載装置Ｓｂの出力要求の情報Ｋｂの出力を出力領域Ｐｒ１に繰り上げ、さらに出力領域Ｐｒ３における車載装置Ｓｃの出力要求の情報Ｋｃの出力を出力領域Ｐｒ２に繰り上げる（図１９参照）。続いて、ヘッドアップディスプレイＤ３の、出力領域Ｐｒ１における車載装置Ｓｂの出力要求の情報Ｋｂの出力が終了して消えた後、出力領域Ｐｒ２における車載装置Ｓｃの出力要求の情報Ｋｃの出力を出力領域Ｐｒ１に繰り上げる（図２０参照）。出力要求の情報が、順次、出力要求が本来第１に希望する出力領域で出力されるようになるので、出力要求が意図する情報の出力を実施することが可能になる。したがって、出力要求の情報をより効果的にユーザに伝えることができる。
【０１２３】
＜４．その他＞
本明細書中に開示されている種々の技術的特徴は、上記実施形態のほか、その技術的創作の主旨を逸脱しない範囲で種々の変更を加えることが可能である。すなわち、上記実施形態は全ての点で例示であって、制限的なものではないと考えられるべきである。本発明の技術的範囲は上記実施形態の説明ではなく、特許請求の範囲によって示されるものであり、特許請求の範囲と均等の意味及び範囲内に属する全ての変更が含まれると理解されるべきである。また、上記の複数の実施形態及び実施例は可能な範囲で組み合わせて実施しても良い。
【０１２４】
例えば、上記実施形態では、出力装置Ｄに対して情報を出力させる優先度に係るパラメータと、情報の出力領域に係るパラメータと、は車載装置Ｓから送られる出力要求に含まれることとしたが、状況に応じて適宜、調停部１２が出力の優先度や出力領域の候補を変更、決定しても良い。例えば、カメラ装置が撮像した画像に他の画像を重ねて出力してはいけないなどといった規制がある場合、調停部１２はカメラ装置が撮像した画像の優先度を高くし、他の画像の優先度を低くするといった調停を実施する。また、この場合、調停部１２は他の画像を、カメラ装置が撮像した画像が出力されていない他の出力装置に出力させるといった調停を実施する。
【０１２５】
また、調停処理の実施例１及び実施例２において、例えば出力要求を実施する情報提供装置である複数の車載装置Ｓそれぞれが複数の情報を有する場合、ある車載装置Ｓの複数の情報それぞれに優先順位が予め定められる。例えば、車載装置Ｓａが複数の情報の出力要求Ｒａｘ、Ｒａｙ、Ｒａｚを有する場合に、出力要求Ｒａｘが第１位、出力要求Ｒａｙが第２位、出力要求Ｒａｚが第３位の優先順位が予め定められる。また例えば、車載装置Ｓｂが複数の情報の出力要求Ｒｂｘ、Ｒｂｙ、Ｒｂｚを有する場合に、出力要求Ｒｂｘが第１位、出力要求Ｒｂｙが第２位、出力要求Ｒｂｚが第３位の優先順位が予め定められる。
【０１２６】
そして、例えば調停部１２は、複数の情報の出力領域が重複する場合に、情報それぞれの出力要求を実施する車載装置Ｓにおける情報それぞれの優先順位に基づいて出力領域を割り当て、情報それぞれの優先順位が同位である場合に、車載装置Ｓごとの優先度に基づいて出力領域を割り当てることにしても良い。すなわち、例えば車載装置Ｓａから出力要求Ｒａｙを受け付け、車載装置Ｓｂから出力要求Ｒｂｙを受け付け、出力領域が重複する場合に、車載装置Ｓａにおける出力要求Ｒａｙの情報の優先順位と、車載装置Ｓｂにおける出力要求Ｒｂｙの情報の優先順位と、が比較される。この場合、出力要求Ｒａｙ、Ｒｂｙの優先順位は、ともに第２位である。このため、出力要求Ｒａｙを送信した車載装置Ｓａの優先度と、出力要求Ｒｂｙを送信した車載装置Ｓｂの優先度と、が比較され、優先度が高い出力要求Ｒａｙに出力領域が割り当てられる。これにより、複数の車載装置Ｓそれぞれが複数の情報を有する場合において、複数の車載装置Ｓそれぞれにおける複数の情報それぞれの優先順位に基づいて出力領域を割り当てることができる。したがって、情報をより効果的にユーザに伝えることができる。
【０１２７】
また、調停処理の実施例１及び実施例２において、例えば調停部１２は、優先度が低い出力要求Ｒｂに係る情報の出力領域の第１候補Ｋｂ１が、優先度が高い出力要求Ｒａに割り当てられた出力領域と重複しない場合、優先度が低い出力要求Ｒｂに対して、当該出力要求Ｒｂに係る情報の出力領域の第１候補Ｋｂ１が割り当てる。すなわち、出力要求Ｒｂの情報は出力領域の第１候補Ｋｂ１に出力される。これにより、出力要求Ｒｂの情報が、出力要求Ｒｂが本来第１に希望する出力領域で出力されるようになるので、出力要求Ｒｂが意図する情報の出力を実施することが可能になる。したがって、出力要求Ｒｂの情報をより効果的にユーザに伝えることができる。
【０１２８】
また、調停処理の実施例１及び実施例２において、例えば調停部１２は、出力要求Ｒａ、Ｒｂに加えて、さらに優先度が低い第３の出力要求Ｒｃを受け付け、出力領域が重複する場合、優先度が低い当該第３の出力要求Ｒｃに対して、優先度が上位の出力要求Ｒａ、Ｒｂの出力領域と重複しない出力領域のうちの最上位の出力領域が割り当てる。また、例えば調停部１２は、優先度が低い第３の出力要求Ｒｃに係る情報の出力領域の第１候補Ｋｃ１が、優先度が高い出力要求Ｒａ、Ｒｂそれぞれに割り当てられた出力領域と重複しない場合、優先度が低い第３の出力要求Ｒｃに対して、当該出力要求Ｒｃに係る情報の出力領域の第１候補Ｋｃ１が割り当てる。これにより、出力要求Ｒｃの情報が、出力要求Ｒｃが本来第１に希望する出力領域で出力されるようになるので、出力要求Ｒｃが意図する情報の出力を実施することが可能になる。したがって、出力要求Ｒｃの情報をより効果的にユーザに伝えることができる。
【０１２９】
また、調停処理の実施例１及び実施例２において、例えば調停部１２は、調停後、複数の情報の出力要求それぞれの候補順の残りの出力領域が他の出力要求に対して割り当てられていない場合、調停済の同じ情報を候補順に他の出力領域の候補にも割り当て、出力させることにしても良い。すなわち、多種の出力要求（Ｒａ、Ｒｂ、Ｒｃ、…）それぞれに係る同じ情報を、多くの出力領域に重複して出力しても良い。例えば、出力要求Ｒａに第１の出力領域として第１候補Ｋａ１が割り当てられ、出力要求Ｒｂに第１の出力領域として第２候補Ｋａ２が割り当てられ、出力要求Ｒｃに第１の出力領域として第１候補Ｋｃ１が割り当てられ、出力要求Ｒａに第２の出力領域として第３候補Ｋａ３が割り当てられ、出力要求Ｒｂの第２の出力領域には候補の空きが無いため割り当てが止められ、出力要求Ｒｃに第２の出力領域として第３候補Ｋｃ３が割り当てられる。このように、出力領域の候補が無くなるまで、或いは予め定めた所定回数まで、出力要求Ｒａ、Ｒｂ、Ｒｃに係る同じ情報をそれぞれの出力領域の候補に割り当てる。これにより、多種の同じ情報を、多くの出力領域を利用して出力することができ、情報をより効果的にユーザに伝えることが可能になる。
【０１３０】
また、上記実施形態では、プログラムに従ったＣＰＵの演算処理によってソフトウェア的に各種の機能が実現されていると説明したが、これらの機能のうちの一部は電気的なハードウェア回路によって実現されても良い。また逆に、ハードウェア回路によって実現されるとした機能のうちの一部は、ソフトウェア的に実現されても良い。
【符号の説明】
【０１３１】
１    出力処理装置
１０    制御部
１１    受付部
１２    調停部
１３    通知部
２０    記憶部
２１    出力処理プログラム
１００    出力処理システム
Ｄ    表示装置
Ｄ１    センターディスプレイ
Ｄ２    メーターディスプレイ
Ｄ２１    第１表示部
Ｄ２２    第２表示部
Ｄ２３    第３表示部
Ｄ３    ヘッドアップディスプレイ
Ｓ、Ｓａ、Ｓｂ、Ｓｃ    車載装置
【図１】
2019096054.tif 000003
【図２】
2019096054.tif 000004
【図３】
2019096054.tif 000005
【図４】
2019096054.tif 000006
【図５】
2019096054.tif 000007
【図６】
2019096054.tif 000008
【図７】
2019096054.tif 000009
【図８】
2019096054.tif 000010
【図９】
2019096054.tif 000011
【図１０】
2019096054.tif 000012
【図１１】
2019096054.tif 000013
【図１２】
2019096054.tif 000014
【図１３】
2019096054.tif 000015
【図１４】
2019096054.tif 000016
【図１５】
2019096054.tif 000017
【図１６】
2019096054.tif 000018
【図１７】
2019096054.tif 000019
【図１８】
2019096054.tif 000020
【図１９】
2019096054.tif 000021
【図２０】
2019096054.tif 000022